(57)【要約】      （修正有）【課題】適正ピッチで配列したベアリングに噛み合うスクリュー雄ネジの回転で上下に昇降する脱出移動装置の速度調整装置及びＣ形型材の短尺化。【解決手段】円滑なブレーキ機能を達成するためにブレーキ機構の間にウォームホイール減速機構を挿入し、ブレーキ能力を増すと共にスクリュー雄ネジのネジ傾斜を活用して解決し、且つブレーキ解除して走行をする場合にも円滑を欠いた場合の手動補正補助ラチェット装置を設けたものである。【選択図】図１
0003118326.tif 000002
【実用新案登録請求の範囲】
【請求項１】
Ｃ形型材の底部に、等間隔ピッチで１列に装着したベアリング列に、そのピッチに噛み合う雄ネジピッチを持つスクリュウー雄ネジを回動させて、スクリュウ雄ネジの軸受けフレームを移動させるようにすると共に、Ｃ形型材内面両側壁に嵌挿してスライドする適寸にフレーム側面を設計し、直接スライド摩擦を軽減する材で成形するか、あるいはローラーを介して昇降移動させるようにした脱出又は昇降移動装置。
【請求項２】
請求項１の雄ネジフレームを任意位置に停止又は減速させるため、雄ネジスクリュウの回転軸の回転の停止とその解除を繰り返すに際して、適正径の円盤の外周ラヂアル方向に適正ピッチで分割して突起を設けその先端に小径ローラーを取り付けて、スクリュウーネジのネジピッチにウオームギヤーホイール状に噛みあうようなピッチで設計し、ウオームホイールのホイール状に噛み合わせるためスクリュウ雄ネジの軸線に直交方向に円盤の回転軸を軸受けしたうえ、その軸をバンドブレーキ若しくはローラーブレーキ等で停止及びその解除を行うようにした小径ローラ設定円盤とスクリュウ雄ネジの噛み合わせによるブレーキ機構を持つ脱出移動装置。
【請求項３】
請求項２の雄ネジフレームの軸にラチェットを装填し、必要時に手動で操作し、下方進行方向に補助作動できるようにした脱出移動装置。
【請求項４】
請求項１のＣ形型材を切断した適寸の複数個の短尺のものを、通常はその底面を背にして重ね合わせておくが、それぞれの両側面部を、同一寸法で両端部に設けたピン軸で回動するようにしたレバー２個を１対として、順次短尺型材の側面部でピン結合し、各Ｃ形型材の底面の上端部には当たり切片を装着し、又内機側面に、レバーの確実な移動を補助するの為の補助ベアリングを、Ｃ形型材の外部背面方向に突出して装填したステーに設けて、短尺Ｃ形型材を、順次上部より下部に展開して長尺のＣ形型材の形状を保つようにした脱出移動装置。
【考案の詳細な説明】
【技術分野】
【０００１】  本考案は等間隔ピッチで設定したベアリングに噛む合うスクリュウネジの回転によるスクリュウ雄ネジフレームの移動による自走式脱出装置の速度調整装置を含む機構に関するものである。
【背景技術】
【０００２】  記述の機構による自走式移動装置において、雄ネジスクリュウネジの回転を停止させるに際して、その軸に直接設定したブレーキ装置において行うのは容易に考えられるが、その場合ブレーキ制動機構が完全である場合制動が急激で円滑な停止とその解除の動作が行いえず、特に垂直ベアリング列設定柱に設けたスクリュウー雄ネジフレームの自然落下による脱出装置等での速度調整を、手動で頻繁に行う必要性のある場合急激な停止の構造は避けなけねばならない。その為には直接の制動を避け、ウオームホイル状の噛み合わせを挿入したうえ、減速して制動することによってその制動力を確実にすると共に、ホイールの回転を停止してウオームに相当するスクリュウ雄ネジのネジ傾斜によって円滑に停止させ、且つそのホイールの噛みあい先端にローラー状に小径ベアリングを装着してその停止後の復活をも円滑に行うようにしたものである。又長尺のＣ形型材は通常時短尺に畳み重ね出来ればより便利に活用出来る点を考慮したもので、更にスクリュウネジの傾斜と脱出物の重量の適合度等で落下補助の必要の場合の考慮も含めたものである。またＣ形型材の内面を円滑にスクリュウ雄ネジのフレームが活動できるよう、その側面を滑動材で成型するかベアリング等を介在させるかして円滑度も考慮する要もある。
〔特例文献１〕  特願２００１−１９５５６０
〔特例文献２〕  特願２００２−９７３７６
【考案の開示】
【考案が解決しようとする課題】
【０００３】上記の構造の昇降装置において、速度の変化に対応して頻繁に停止・移動を繰り返す必要があり、且つその都度円滑に行う事を必要とし、特に下降専用の脱出機で人力による調整はその面不可欠の機能と思われる。
【課題を解決するための手段】
【０００４】等間隔ピッチで配列したベアリング列に噛み合うスクリュウ雄ネジを回転させてスクリュウ雄ネジフレームを移動させる構造の自走式昇降装置において、そのスクリュウの回転停止を頻繁に行って移動速度を調整するについて、常時スクリュウネジに噛み合ってその先端にローラー又は小径ベアリングを設定した突起を円周上に持つ回転円盤を、ウオームホイール状に設定して、ホイールに相当するその円盤軸をバンドブレーキ若しくはローラーブレーキ等で停止させるように減速緩衝機構を介入させて、ブレーキとスクリュウネジの双方にかかる衝撃をやわらげ回転と停止の円滑化を図ったもので、更にスクリュウネジの回転不調の場合についても進行方向のみに働くラチエットを挿入して、回転を手動で補助できるようにし、又フレームの側面をＣ形型材内面との摩擦を軽減するようにも工夫している。更にＣ形型材を短尺化して通常は畳み込むようにも考慮している。
【考案の効果】
【０００５】スクリュウ雄ネジの回転を減速回転するホイール円盤を介入させることによって操作都度の衝撃を緩和し、更にホイール側の回転円盤の突起先端に小径ベアリングを装着する事で停止から移動への復活の円滑化も達成したものである。
又高層階が下層階に迷惑のかからないよう長尺Ｃ形型材を畳み込める形を採用した。
【考案を実施するための最良の形態】
【０００６】上下に走行するエレベーター、エスカレータの形態としてブレーキ付きギヤーモーターを動力としての移動装置にも故障時の緊急停止装置として活用出来るが、動力を用いず自然落下方式の脱出機においては１層不可欠で、ブレーキ能力の向上と共に、速度調整の円滑さを目的としたものである。
【実施例】
【０００７】自然落下式の脱出機の実施例によって説明すると、垂直に立てたＣ形型材１の底面内面に適正等間隔ピッチでベアリング２・２・・・を垂直に配列し、そのピッチに噛み合うスクリュウ雄ネジ軸３・３をフレーム４に軸受けＪ・Ｊによって軸受けして垂直に設定して、スクリュウ雄ネジの回転によってフレームをＣ形型材の両側壁内面を上下に滑動するようにフレーム４の両側面５・５の幅寸法を設計しており、更にスクリュウ雄ネジのピッチＰ内に収まる寸法の小径ベアリング６・６・・・・を回転ホイール円盤７の外周の適正分割位置にラヂアル方向に設けた突起８・８・・・・・の先端にベアリング内径で固定して設けて各小径ベアリング６・６・・・がスクリュウ雄ネジ軸３が回転するに伴ってそのピッチＰ内に噛みこんで回転円盤７が回動出来るようその軸９をスクリュウ雄ネジ軸３と直交の状態即ちウオームホイールのホイールの位置になるようにフレーム４に軸受けするとともに、回転ホイール円盤７の軸９に、その回転を停止するバンドブレーキ１０を取り付けて、そのレバーＳを引いて作動させるようにしている。この図は自然落下する人間の災害時の脱出装置の例示で、急激なブレーキ作動を緩和しその落下速度の調整を頻繁なブレーキ作動時に減速作動させて都度確実にし且つ円滑に行う為のものである。又停止後の移動の際の何らかの不調を手動で補助できるよう１方方向にのみ働くラチエットＲをスクリュウネジ軸の端部に装着しレバーＬにより操作できるようにしている。又これらの構造を持つ内機をＣ形型材内部を円滑に滑動出来るようフレーム側面を滑動材によって成型するかローラー又はベアリングｓ．ｓ．．をＣ形型材の底面及び側面に介在させている。
通常時長尺Ｃ形型材を畳み込んで上部に収納出来るよう図５イ）の様に短尺化して重ねそれぞれの側面に両端部に結合ピンを装着した同寸法の結合レバーｒ．ｒ．ｒ．．．を平行に配置して順次ピン止めして結合し、これを順次展開すると図５ロ）の様に長尺型材として展開するが、その際当り切片ｋ．ｋ．ｋ．．．を下方型材の底面外側に設け、更に内機下降時に各レバーｒ．ｒ．ｒ．が垂直に作動するよう内機側面外側にステーＴ・Ｔを取り付け、その内面端部内側に装填したベアリングで内機が下降するに従って、レバーｒを順次垂直に位置決めするようにしてＣ形型材を展開して長尺化するようにしている。またその際同時に短尺Ｃ形型材の繋ぎ目の垂直結合度を触知し、確実にするためフレーム側面下部に先端に挿入傾斜部を持つ触知盤  Ｚ・Ｚを装填しておく。
【図面の簡単な説明】
【０００８】
【図１】脱出機に設けた本案機構の１部切り欠け全体斜視図
【図２】スクリュウ雄ネジの斜視図
【図３】スクリュウー雄ネジとウオームホイール状態に噛み合うホイール側の回転円盤とバンドブレーキの斜視図
【図４】フレームのＣ形型材内滑動部の１部切り欠け斜視図
【図５】Ｃ形型材を短尺にして畳み込む構造を示す斜視図でイ）は畳み込み収容図でロ）は展開して長尺化した図
【符号の説明】
【０００９】１．Ｃ形型材  ２．ベアリング  ３．スクリュウ雄ネジ軸  ４．フレーム  ５．側面  ６．小径ベアリング  ７．回転円盤  ８．突起  ９．回転円盤軸  １０．バンドブレーキ  ｊ．軸受け  Ｌ．レバー  Ｒ．ラチエット  Ｓ．バンドブレーキレバー  ｓ．ローラー又はベアリング  ｒ．結合レバー  ｋ．当たり切片  Ｚ．触知盤  Ｔ．ステー
【図１】
0003118326.tif 000003
【図２】
0003118326.tif 000004
【図３】
0003118326.tif 000005
【図４】
0003118326.tif 000006
【図５】
0003118326.tif 000007